(57)【要約】【課題】風向を変える際の圧力損失を低減することができ送風性能を向上させ、風切音を無くすことができるサーキュレーターを提供する。【解決手段】一端側に空気の吸込口４ｂが他端側に吹出口４ａが設けられた略筒状のファンケーシング４と、ファンケーシング４内において回転する送風ファン３と、吸込口４ｂから送風ファン３の回転によって室内の空気を吸込み、吹出口４ａから気流を吹出すようにしたサーキュレーターにおいて、送風ファン３の回転軸３ａとファンケーシング４の吹出口４ａの回転中心を同軸上に設けると共に、ファンケーシング４の駆動を、ファンケーシング４の鍔部４ｅの内周面に設けた円弧状のラックギア１０に噛合させたケーシング揺動用モーター８のピニオンギア９を回転させることにより行う。【選択図】  図４
2008267660.tif 000002
【特許請求の範囲】
【請求項１】
一端側に空気の吸込口が他端側に吹出口が設けられ、この吸込口と吹出口との間に通風路が設けられると共に、前記吸込口から吹出口に空気を流動させる送風ファンを備えたサーキュレーターにおいて、前記吹出口を上下に揺動可能に設けたことを特徴とするサーキュレーター。
【請求項２】
一端側に空気の吸込口が他端側に吹出口が設けられた略筒状のファンケーシングと、該ファンケーシング内において回転する送風ファンと、前記吸込口から送風ファンの回転によって室内の空気を吸込み、前記吹出口から気流を吹出すようにしたサーキュレーターにおいて、送風ファンの回転軸とファンケーシングの吹出口の回転中心を同軸上に設けると共に、ファンケーシングの駆動を、ファンケーシングの鍔部の内周面に設けた円弧状のラックギアに噛合させたケーシング揺動用モーターのピニオンギアを回転させることにより行うことを特徴とする請求項１記載のサーキュレーター。
【発明の詳細な説明】
【技術分野】
【０００１】
本発明は、室内の天井や内壁に取り付けて室内の空気を循環させるために使用されるサーキュレーターに関するものである。
【背景技術】
【０００２】
室内の冷気や暖気を上下に循環させるサーキュレーターには、一端に吸込み口を有すると共に、他端には吹出し口を有し、この吸込み口と吹出し口に亘って空気流通路が形成されたダクトを備え、このダクトの中間位置に吸込み口から吹出し口に向かって空気を流動させるファンが内設されたタイプのもの（特許文献１参照。）や室内の天井面や内壁面に取付けられ、羽根車の回転によって室内の空気を吸い込み、遠心デュフーザー風路から気流を吹き出すタイプのもの（特許文献２参照。）がある。また、循環効率を上げるために、吹き出し口に上下に揺動する板羽根状のスイングルーバーを取り付け、風向を変えるようにしたものがある（特許文献３参照。）。
【０００３】
【特許文献１】実開昭５９−１６７３３７号公報
【特許文献２】特許第３５３６１９５号公報
【特許文献３】特開平８−９４１６５号公報
【発明の開示】
【発明が解決しようとする課題】
【０００４】
しかしながら、羽根板状のスイングルーバーによる風向変換では、ルーバーが気流を遮ることによる圧力損失が生じ、送風の到達距離が短く、また、ルーバーの角度を変えることに伴って風量や風速が不均一になったり、風切音が生じるという問題があった。本発明は上記のような従来技術の問題点に鑑み、風向を変える際の圧力損失を低減することができ送風性能を向上させ、風切音を無くすことができるサーキュレーターを提供することを目的とするものである。
【課題を解決するための手段】
【０００５】
このため本発明では、一端側に空気の吸込口が他端側に吹出口が設けられ、この吸込口と吹出口との間に通風路が設けられると共に、前記吸込口から吹出口に空気を流動させる送風ファンを備えたサーキュレーターにおいて、前記吹出口を上下に揺動可能に設けたことを第１の特徴とする。また、一端側に空気の吸込口が他端側に吹出口が設けられた略筒状のファンケーシングと、該ファンケーシング内において回転する送風ファンと、前記吸込口から送風ファンの回転によって室内の空気を吸込み、前記吹出口から気流を吹出すようにしたサーキュレーターにおいて、送風ファンの回転軸とファンケーシングの吹出口の回転中心を同軸上に設けると共に、ファンケーシングの駆動を、ファンケーシングの鍔部の内周面に設けた円弧状のラックギアに噛合させたケーシング揺動用モーターのピニオンギアを回転させることにより行うことを第２の特徴とする。
【発明の効果】
【０００６】
本発明によれば以下の優れた効果がある。
（１）吹出口自体を揺動するようにしたので、風向を変える際の圧力損失を低減することができ送風性能を向上させ、風切音を無くすことができる
（２）送風ファンの回転軸とファンケーシングの吹出口の回転中心が同軸上にあるので、吹出口がどの位置に移動しても風量、風速、風切音が変化しない。
（３）ファンケーシングの駆動は、ファンケーシングの鍔部内側面に円弧状のラックギアを設け、これに噛合するファンケーシング揺動用モーターのピニオンギアを回転させることにより行うので、吹出口の中心を支軸として回転させるよりも小さな力で動かすことができる。
【発明を実施するための最良の形態】
【０００７】
以下、図面に示す実施例に基づいて本発明の実施の形態を説明する。図１は本発明に係るサーキュレーター本体の一実施例を示す正面図、図２は図１のＡ−Ａ線断面図、図３はファンケーシングが上方へ移動した状態を示す正面図、図４は図３のＢ−Ｂ線断面図、図５は図３のＣ−Ｃ線断面図、図６はサーキュレーターの取付状態の一例を示す（ａ）は正面図、（ｂ）は側面図、図７はサーキュレーターの取付状態の他の例を示す（ａ）は正面図、（ｂ）は側面図である。
【実施例】
【０００８】
本発明のサーキュレーター本体１は、取付フレーム２内に上下揺動自在に取り付けられた略円筒形状のファンケーシング４と、ファンケーシング４に内蔵された円筒形状の送風ファン３から構成されている。送風ファン３は、その回転軸３ｂの一端がファンモーター５に連結されると共に、他端が軸受ベアリング７に軸支されている。
【０００９】
ファンケーシング４には、その前面側が長手方向全体にわたって幅狭に絞り込んで開口された吹出口４ａが一体的に設けられると共に、背面側も開放されて吸入口４ｂとされ、両側面にガイドプレート４ｃが設けられている。また、ファンケーシング４の双方のガイドプレート４ｃからはベアリング嵌合筒部４ｄが突設され、取付フレーム２のベアリング受筒部２ａに内周側が嵌合固定されたケーシング受ベアリング６の外周側に嵌合される。すなわち、ケーシング受ベアリング６の内側が取付フレーム２に固定され、外側がファンケーシング４に固定され、吹出口４ａが上下に揺動可能にされている。
【００１０】
ケーシング受ベアリング６には、送風ファン３の回転軸３ａが接触しないように間隙をもって貫通され、送風ファン３の回転軸３ａとファンケーシング４の吹出口４ａの回転中心は同軸上にある。したがって、ファンケーシング４が、送風ファン３の回転軸３ａを中心として動くので、吹出口４ａがどの位置に移動しても風量、風速、風切音が変化しない。また、ファンケーシング４の駆動は、ファンケーシング４の鍔部４ｅの内周面に円弧状のラックギア１０を設け、これに噛合させたケーシング揺動用モーター８のピニオンギア９を回転させることにより行う。これにより、吹出口４ａの中心を支軸として回転させるよりも小さな力で動かすことができる。尚、送風ファン３としては、とくに限定されないが、シロッコファンが好適である。
【００１１】
尚、本発明のサーキュレーターは、図６及び図７に示すように、上部にサーキュレーター本体１を下部に吸込グリル１１を通気路１２に一体的に取り付けた据え置きタイプの装置や、壁面内に形成した通気路１２を形成し、サーキュレーター本体１を下部に吸込グリル１１を壁面に直接取付けて使用する。尚、通気路１２の長短は任意で、一体形の装置の場合、床面近傍にサーキュレーター本体１が位置するような高さの低い装置であってもよい。また、移動可能にキャスター等を取り付けても良い。
【図面の簡単な説明】
【００１２】
【図１】本発明に係るサーキュレーター本体の一実施例を示す正面図である。
【図２】図１のＡ−Ａ線断面図である。
【図３】ファンケーシングが上方へ移動した状態を示す正面図である。
【図４】図３のＢ−Ｂ線断面図である。
【図５】図３のＣ−Ｃ線断面図である。
【図６】サーキュレーターの取付け状態の一例を示す（ａ）は正面図、（ｂ）は側面図である。
【図７】サーキュレーターの取付け状態の他の例を示す（ａ）は正面図、（ｂ）は側面図である。
【符号の説明】
【００１３】
１    サーキュレーター本体
２    取付フレーム
２ａ  ベアリング受筒部（内周側）
３    送風ファン
３ａ  送風ファンの回転軸
４    ファンケーシング
４ａ  吹出口
４ｂ  吸込口
４ｃ  ガイドプレート
４ｄ  ベアリング嵌合筒部（外周側）
４ｅ  鍔部
５    ファンモーター
６    ケーシング受ベアリング
７    軸受ベアリング
８    ケーシング揺動用モーター
９    ピニオンギア
１０  ラックギア
１１  吸込グリル
１２  通風路
【図１】
2008267660.tif 000003
【図２】
2008267660.tif 000004
【図３】
2008267660.tif 000005
【図４】
2008267660.tif 000006
【図５】
2008267660.tif 000007
【図６】
2008267660.tif 000008
【図７】
2008267660.tif 000009